(57)【要約】【課題】万が一の場合でもパネルの落下を防止することができ、その異常状態をユーザーに容易に判別させることができることを目的とする。【解決手段】パネル２１の外方より内側に突出しパネルベース１９と係合する係合部２２を、パネル２１の重心から偏心させた位置に設けたという構成にしたことにより、パネルベース１９とパネル２１との固定部２０が破損したとしても、係合部２２とパネルベース１９が引っ掛かり、さらにその位置を重心より偏心させていることによりパネル２１が斜め状態で保持されることとなるので、万が一の場合でもパネル２１の落下を防止することができ、その異常状態をユーザーに容易に判別させることができる換気装置を得られる。【選択図】図２
2012225598.tif 000002
【特許請求の範囲】
【請求項１】
内部に羽根とモーターを有した本体の外枠を形成するフレームとで構成され、前記フレームの室内側の開口を覆うパネルルーバーが、前記本体に固定されるパネルベースと、前記パネルベースに固定されるパネルとで構成され、前記パネルの外方より内側に突出し前記パネルベースと係合する係合部を、前記パネルの重心から偏心させた位置に設けたことを特徴とする換気装置。
【請求項２】
パネルの外縁より内側に突出した係合部と、パネルベースとの係合部とに一定の隙間を設けたことを特徴とする請求項１に記載の換気装置。
【請求項３】
パネルの外方より内側に突出し、パネルベースとの隙間も空けて係合する係合部を複数個設け、前記係合部と前記パネルベースとの隙間を複数の寸法とすることを特徴とする請求項１に記載の換気装置。
【発明の詳細な説明】
【技術分野】
【０００１】
本発明は、換気装置の長期使用および異常環境使用における安全性に関するものである。
【背景技術】
【０００２】
従来、この種の換気装置は、ルーバー取付部材を固定するボス部にかかる応力を軽減させ、脱落に対し安全性の高くされたものが知られている（例えば、特許文献１参照）。
【０００３】
以下、その換気装置について、図５を参照しながら説明する。
【０００４】
図５に示すように、換気装置の下部に取り付けられるルーバー１０１において、換気装置に係合するバネ１０６と、バネ１０６が固定されるルーバー取付金具１０５と、後面側に突出し内部に空洞部を有したボス部１０２と、ルーバー取付金具１０５を後面側からボス部１０２にネジ１０４により固定するために前記空洞部に遊嵌した状態で設けられるナット１０３とを備えた構成である。
【先行技術文献】
【特許文献】
【０００５】
【特許文献１】特開２００６−８４０４５号公報
【発明の概要】
【発明が解決しようとする課題】
【０００６】
このような従来の換気装置においては、長期使用および異常環境使用において万が一、部品の一部が破損に至ることがあった場合、部品の脱落を防止する構造を設けたとしても室内高所に取付け使用される装置である為その異常状態を使用者に認識され難い、という課題を有していた。
【０００７】
そこで本発明は、上記従来の課題を解決するものであり、万が一の場合でもパネルの落下を防止することができ、その異常状態をユーザーに容易に判別させることができる換気装置を提供することを目的とする。
【課題を解決するための手段】
【０００８】
そして、この目的を達成するために、本発明は、内部に羽根とモーターを有した本体の外枠を形成するフレームとで構成され、前記フレームの室内側の開口を覆うパネルルーバーが、前記本体に固定されるパネルベースと、前記パネルベースに固定されるパネルとで構成され、前記パネルの外方より内側に突出し前記パネルベースと係合する係合部を、前記パネルの重心から偏心させた位置に設けたとしたものであり、これにより所期の目的を達成するものである。
【発明の効果】
【０００９】
本発明によれば、パネルの外方より内側に突出しパネルベースと係合する係合部を、前記パネルの重心から偏心させた位置に設けたこと、という構成にしたことにより、パネルベースとパネルとの固定部が破損したとしても、係合部とルーバーベースが引っ掛かり、さらにその位置を重心より偏心させていることによりパネルが斜め状態で保持されるので、長期使用および異常環境使用による万が一の場合でもパネルの落下を防止することができ、その異常状態をユーザーに容易に判別させることができる、という効果を得ることができる。
【図面の簡単な説明】
【００１０】
【図１】本発明の実施の形態１の換気装置の設置状態を示す側構成図
【図２】同換気装置のパネルルーバーの構成を示す斜視図
【図３】同換気装置のパネルの保持状態を示す側面図
【図４】同換気装置のパネルの構成例を示す斜視図
【図５】従来の換気装置のルーバーの構成を示す斜視図
【発明を実施するための形態】
【００１１】
本発明の請求項１記載の換気装置は、内部に羽根とモーターを有した本体の外枠を形成するフレームとで構成され、前記フレームの室内側の開口を覆うパネルルーバーが、前記本体に固定されるパネルベースと、前記パネルベースに固定されるパネルとで構成され、前記パネルの外方より内側に突出し前記パネルベースと係合する係合部を、前記パネルの重心から偏心させた位置に設けた、という構成を有する。これにより、パネルベースとパネルとの固定部が破損したとしても、係合部とルーバーベースが引っ掛かり、さらにその位置を重心より偏心させていることによりパネルが斜め状態で保持されるので、長期使用および異常環境使用による万が一の場合でもパネルの落下を防止することができ、その異常状態をユーザーに容易に判別させることができる、という効果を奏する。
【００１２】
また、パネルの外縁より内側に突出した係合部と、パネルベースとの係合部とに一定の隙間を設けた、という構成にしてもよい。これにより、通常使用状態では係合部に部品の自重あるいは係合による応力がかからないので、万が一の場合でも、パネルベースやパネルのある一部が破損にいたるような室内環境、使用状態であっても、落下防止用としての係合部の信頼性を向上させることができる、という効果を奏する。
【００１３】
また、パネルの外方より内側に突出し、パネルベースとの隙間も空けて係合する係合部を複数個設け、前記係合部と前記パネルベースとの隙間を複数の寸法とする、という構成にしてもよい。これにより、係合部とパネルベースとが引っ掛かった際、前記係合部と前記パネルベースの隙間が異なってパネルは斜め状態で保持されることとなるので、万が一の場合でもパネルの落下を防止することができ、その異常状態を細かくユーザーに容易に判別させることができる、と同時により斜め状態となったパネルの安定性を確保できる、という効果を奏する。
【００１４】
以下、本発明の実施の形態について図面を参照しながら説明する。
【００１５】
（実施の形態１）
本発明に記載のパネルおよびパネルベースについて、図１〜３を用いて、天井埋込式換気装置の下部に設けた開口に取り付けられるパネルルーバーを例にして説明する。
【００１６】
図１に示すように、下面１には吸込口２となる後述するパネルルーバー３を保持する為のバネ２７が挿入される開口部係合部４を設けた開口部５を設け、側部６には排気口７を設け、上部にはモーター保持板８を設け  、内部にはモーター保持板８に固定させたモーター９と羽根１０を有した送風機１１およびケーシング１２とを設けた箱状のフレーム１３により形成される換気装置１４を天井１５に設置し、排気口７に連通する換気装置１４側の接続口１６およびダクト１７と連通するダクト側接続口１８を一体に設ける構成としている。
【００１７】
そして、図２に示すように、パネルルーバー３は開口部係合部４とバネ２７を用いて保持されるパネルベース１９と、パネルベース１９に固定部２０によって保持されるパネル２１とから構成され、パネル２１の外方より内側に突出しパネルベース１９と係合する係合部２２を、パネル２１の重心から偏心させた位置に設けた構成としている。
【００１８】
このように本発明の実施の形態１の換気装置によれば、パネルルーバー３を構成するパネルベース１９とパネル２１とを連結している固定部２０が、万が一破損した場合でも、自重により脱落しようとするパネル２１に形成される係合部２２と、換気装置１４の開口部係合部４と係合するパネルベース１９とが、係合部２２がパネル２１の外方より内側に突出していることにより係合し、パネル２１が脱落することなく保持されることとなる。さらに、パネル２１の外方より内側に突出している係合部２２の位置を、パネル２１の重心から偏心させているので、パネル２１は天井１５に対して斜め状態で保持されるので、長期使用および異常環境使用による万が一の場合でもパネル２１の落下を防止することができ、その異常状態をユーザーに容易に判別させることができる、という効果を得ることができる。
【００１９】
なお、係合部２２をパネル２１の重心から偏心させる位置については、より重心から偏心させたほうが天井１５に対しての傾斜角度が大きくなり、よりその異常状態が判別しやすくなるが、斜め状態で保持される場合の安定性を得るために、図３に示すように、通常使用状態のパネル２１の位置に対して、傾斜状態でのパネル２１の傾斜端部２３が、パネルルーバー３の厚み２４と略同一かそれ以下の寸法だけ傾斜により垂れ下がるくらいがユーザーの目にも留まりやすくかつ傾斜状態をより安定させるという点で適切である。
【００２０】
また、パネル２１の外縁より内側に突出した係合部２２と、パネルベース１９との係合部２２とに一定の隙間を設ける構成とすれば、通常使用状態では係合部２２にパネル２１の自重あるいは係合による応力がかからないので、パネルベース１９やパネル２１のある一部が破損にいたるような室内環境、使用状態であっても、落下防止用としての係合部の信頼性を向上させることができる。前述した一定の隙間とは、約５mm程度の隙間とするのが、組み付けバラツキなどに左右されず、確実に係合部２２に応力がかからない寸法として有効的である。
【００２１】
また、図４に示すように、パネル２１がパネル枠２５とパネル面材２６で構成され、使用現場の天井材デザインに合わせてパネル面材２６を手配、組み付けされる場合においても、パネル枠２５から内側に突出した係合部２２が偏心した位置にあるため、横からスライドさせ挿入することで、作業性を犠牲にすることはなく落下防止という効果が得られ、非常に有益である。
【００２２】
なお、実施の形態において、パネル２１の外方より内側に突出しパネルベース１９と係合する係合部２２を、パネル２１の重心から偏心させた位置に設けた構成としたが、パネル２１の外方より内側に突出し、パネルベース１９との隙間も空けて係合する係合部２２を複数個設け、係合部２２とパネルベース１９との隙間を複数の寸法とする、という構成にしてもよい。これにより、係合部２２とパネルベース１９とが引っ掛かった際、係合部２２とパネルベース１９の隙間が異なってパネル２１は斜め状態で保持されることとなるので、万が一の場合でもパネル２１の落下を防止することができ、その異常状態を細かくユーザーに容易に判別させることができる、と同時により斜め状態となったパネル２１の安定性を確保できる、という効果を得られることとなる。
【００２３】
なお、本発明のパネルルーバーを取り付ける換気装置は、その内部に送風機を有するものだけでなく、強制的送風機能を有さないいわゆる換気ボックスのようなものも含んでおり、万が一のパネルの落下を防止させ、その異常状態をユーザーに容易に判別させることができる、という効果に差異はない。
【産業上の利用可能性】
【００２４】
本発明にかかる換気装置は、万が一の場合でもパネルの落下を防止することができ、その異常状態をユーザーに容易に判別させることができるので、住宅に使用される換気装置の長期使用および異常環境使用における安全性に関するものとして有用である。
【符号の説明】
【００２５】
１    下面
２    吸込口
３    パネルルーバー
４    開口部係合部
５    開口部
６    側部
７    排気口
８    モーター保持板
９    モーター
１０  羽根
１１  送風機
１２  ケーシング
１３  フレーム
１４  換気装置
１５  天井
１６  接続口
１７  ダクト
１８  ダクト側接続口
１９  パネルベース
２０  固定部
２１  パネル
２２  係合部
２３  傾斜端部
２４  厚み
２５  パネル枠
２６  パネル面材
２７  バネ
【図１】
2012225598.tif 000003
【図２】
2012225598.tif 000004
【図３】
2012225598.tif 000005
【図４】
2012225598.tif 000006
【図５】
2012225598.tif 000007